(57)【要約】      （修正有）【課題】コイン保留部にコインが所定量以上積み上がることがないコイン保留部のオーバーフローシュート装置を提供する。【解決手段】補給口の下方にコイン直径よりも幅広の下向き斜面１４２を配置し、下向き斜面に連続してコイン１１０の半径よりも狭い所定幅を有するガイドレールを設け、前記ガイドレール１６４に対し所定の角度で伸び、かつ、コイン直径以上の幅を有する下向きオーバーフローシュート１６２を前記ガイドレールの下方に設け、ガイドレールは下向き斜面に対しオーバーフローシュートの下流側に偏倚して配置し、補給口から落下したコインが下向き斜面に面接触した後、オーバーフローシュートに対し下流側端部下面がガイドレール上を滑って保留部１２８に達するようにし、保留部に堆積したコインはオーバーフローシュートに移動可能にした。 【選択図】図３
2007272512.tif 000002
【特許請求の範囲】
【請求項１】
コイン(110)を一の補給口(141)からコイン保留部(128)に供給して前記コイン保留部に山積みに保留し、かつ、前記コイン保留部の前記コインが所定量になった場合、コイン直径以上の幅を有する下向きオーバーフローシュート(162)を介してオーバーフローさせるようにしたコイン保留装置において、
前記補給口の下方にコイン直径よりも幅広の下向き斜面(142)を配置し、
前記下向き斜面に連続して前記下向き斜面を滑り落ちるコインの重心よりも前記オーバーフローシュートの下流側に前記下向き斜面の一部を延長するよう伸びる所定長のガイドレール(164)を設け、
前記下向きオーバーフローシュートを前記ガイドレールに対し所定の角度で交差するよう前記ガイドレールの下方に配置し、
前記補給口から落下したコインが前記下向き斜面に面接触した後、前記コインの重心よりも前記オーバーフローシュートに対し下流側下面が前記ガイドレールに案内されて前記コイン保留部に達するようにし、
前記コイン保留部に堆積したコインは前記オーバーフローシュートに移動可能にしたコイン保留装置のオーバーフローシュート装置。
【請求項２】
前記ガイドレールは、コインの前記補給口から落下するコインに対し、コイン直径の約三分の一の位置に設定されていることを特徴とする請求項１のコイン保留装置のオーバーフローシュート装置。
【請求項３】
前記ガイドレールの下端は、前記オーバーフローシュートの上面に対しコイン直径の約三分の二の距離離れていることを特徴とする請求項１のコイン保留装置のオーバーフローシュート装置。
【発明の詳細な説明】
【技術分野】
【０００１】
本発明は、一の補給口からコインを供給して山積みに保留するコイン保留装置において、コインが所定量以下の場合はコイン保留部に保留し、保留量が所定量をオーバーした場合は自動的にオーバーフローさせるオーバーフローシュート装置に関する。
なお、本明細書で使用する「コイン」は、通貨であるコインの他、ゲーム機のメダルやトークン等の代用貨幣または類似のものを包含する。
【背景技術】
【０００２】
コインを受入れてコイン保留部に保留し、当該コイン保留部の受入コインを払い出す循環式コイン払出装置は、コイン保留部におけるコイン保留量が所定量を超えた場合、コイン保留部の保留量が適正保留量に保たれるよう新たに受け入れたコインをオーバーフローさせる必要がある。
この場合、コインを一の補給口から補給し、山積みすることにより、山積み量が所定量を超えた場合、コインが自然にオーバーフローシュートに滑落するようにした技術が知られている。
例えば、パチスロ機においてコイン投入口から投入されたコインはコインセレクタにより真偽が判別され、真正コインは一の補給口からコインホッパのコイン保留部である保留ボウルに落下され、山積みに保留される。
山積みされたコインは所定量を超えると壁を越えてオーバーフローシュートに落下した後、オーバーフローシュート上を滑って金庫に保留される。（例えば、特許文献１参照。）
【０００３】
また、第二の技術として、コイン保留部の保留量を検知し、所定量の保留量を検知した場合、受け入れたコインをコイン保留部に保留することなくオーバーフローシュートに振り分け、金庫に保留することが考えられる。
例えば、コイン保留部に一対の電極よりなるフルセンサを配置し、コイン受入部の下流に保留部とオーバーフローシュートへの振り分け装置を配置することが考えられる。
【０００４】
【特許文献１】特開２００３―１０２９０３（図２、４頁）
【発明の開示】
【発明が解決しようとする課題】
【０００５】
第１の従来技術において、保留されたコインはコイン保留部に山積みされるので、何らかの原因でオーバーフローシュートへの滑落がジャムした場合、オーバーフローせずに積み上がる問題があった。
また、第二の技術は、コインがコイン保留部に保留される以前にコイン保留部とオーバーフローシュートとに振り分けるので、保留量を超えて積み上がることは無い。
しかし、フルセンサ及び振り分け装置を設けなければならず、高価になり、俄に採用できない。
【０００６】
本発明の第１の目的は、コイン保留部にコインが所定量以上積み上がることがないコイン保留部のオーバーフローシュート装置を提供することである。
本発明の第２の目的は、コイン保留部にコインが所定量以上積み上がることがないコイン保留部のオーバーフローシュート装置を安価に提供することである。
【課題を解決するための手段】
【０００７】
この目的を達成するため、本発明のコイン保留部のオーバーフローシュート装置は以下のように構成されている。
コインを一の補給口からコイン保留部に供給して前記コイン保留部に山積みに保留し、かつ、前記コイン保留部の前記コインが所定量になった場合、コイン直径以上の幅を有する下向きオーバーフローシュートを介してオーバーフローさせるようにしたコイン保留装置において、前記補給口の下方にコイン直径よりも幅広の下向き斜面を配置し、前記下向き斜面に連続して前記下向き斜面を滑り落ちるコインの重心よりも前記オーバーフローシュートの下流側に前記下向き斜面の一部を延長するよう伸びる所定長のガイドレールを設け、前記下向きオーバーフローシュートを前記ガイドレールに対し所定の角度で交差するよう前記ガイドレールの下方に配置し、前記補給口から落下したコインが前記下向き斜面に面接触した後、前記コインの重心よりも前記オーバーフローシュートに対し下流側下面が前記ガイドレールに案内されて前記保留部に達するようにし、前記保留部に堆積したコインは前記オーバーフローシュートに移動可能にしたコイン保留装置のオーバーフローシュート装置である。
請求項２の発明は、請求項１の発明において、前記ガイドレールは、コインの補給口から落下するコインに対し、コイン直径の約三分の一の位置に設定されていることを特徴とする。
請求項３の発明は、請求項１の発明において、前記ガイドレールの下端は、前記オーバーフローシュートの上面に対しコイン直径の約三分の二の距離離れていることを特徴とする。
【発明の効果】
【０００８】
この構成によれば、コインは一の補給口から下向き斜面上に落下する。    
この下向き斜面はコイン直径の幅以上の幅を有するので、落下したコインはその下面が下向き斜面に面接触し、その状態で当該斜面上を滑落する。
前記下向き斜面上を滑落したコインは、次に下面の一部がガイドレール上を所定の速度で滑り落ちる。
ガイドレールは、前記下向き斜面に対し、下位に配置されたオーバーフローシュートの傾斜の下流側に位置している。
これにより、ガイドレール上を滑り落ちるコインの重心は、ガイドレールよりもオーバーフローシュートの上流側に位置するので、ガイドレールとの接触部を支点に回動しつつガイドレールに案内されて滑り落ちる。
換言すれば、ガイドレール上を滑り落ちるコインは、下向き斜面に平行な状態から徐々に垂直状態になるよう姿勢変化しつつ滑り落ちる。
コイン保留部にコインが積み上がっていない場合、コインはオーバーフローシュートに落下することなく、コイン保留部に落下し、保留される。
コイン保留部にコインが所定量以上積み上がっている場合、ガイドレールに案内されつつ落下するコインは積み上がっているコインに阻止されてコイン保留部に達することができない。
よって、阻止されたコインは重力によって下方に位置するオーバーフローシュートに落下し、当該オーバーフローシュートを滑り落ちてオーバーフローされる。
したがって、コイン保留部に保留されることなくオーバーフローシュートに落下するので不測のトラブルによりコイン保留部にコインが所定量以上積み上がることが無い利点を有する。
さらに本発明は、下向き斜面、ガイドレール及びオーバーフローシュートの巧みなレイアウト並びに重力を利用してコインの振り分けを行うので、フルセンサや振り分け装置を使用せずともオーバーフローさせることができるので、安価に構成できる利点がある。
【０００９】
本発明において、前記ガイドレールは、コインの補給口から落下するコインに対し、コイン直径の約三分の一の位置に設定されていることが好ましい。
この構成により、補給口から落下するコインは、下向き斜面に下面が面接触した後、ガイドレールにその下面の一部が案内される。
換言すれば、コインは下向き斜面上を滑り落ち、次いで、ガイドレールにそのコイン直径の約三分の一の部分が案内されつつ滑り落ちる。
この過程において、コインはガイドレールに案内されない位置に重心が位置するため、当該重心側、換言すれば、オーバーフローシュートの上流側に傾きつつ滑り落ちる。
ガイドレールによるコインの案内位置が前記約三分の一よりも大きい場合、コインが所定の角度まで傾くのに時間を要する。
よって、ガイドレールを長くせねばならず、コイン保留部の小型化には適さない。
また、ガイドレールによるコインの案内位置が約三分の一よりも小さい場合、コインは短時間でほぼ垂直姿勢になり、コイン保留部に達する前にガイドレールからオーバーフローシュートに落下し、振り分け機能を発揮することが出来ない。
ガイドレールにコイン直径の約三分の一が載って滑り落ちるように構成した場合、メダルはほぼメダル直径の幅を有するオーバーフローシュートを通過した位置でガイドレールからコイン保留部に落下する。
よって最小限の大きさでオーバーフローシュート装置を構成できるのでコイン保留部を小型化できる利点がある。  
【００１０】
また本発明において、前記ガイドレールの下端は、前記オーバーフローシュートの上面に対しコイン直径の約三分の二の距離離れていることが好ましい。
この構成によれば、ガイドレールに案内されて滑り落ちるコインは、滑り落ちる慣性力により、ガイドレールの先端前方の所定位置に落下し、積み上がる。
コインが積み上がった場合、ガイドレールの下端を外れたコインは、直後又は下端に達する前に積み上がったコインに衝突してオーバーフローシュートに落下する。
よって、コイン保留部にコインを積み上げる事が出来ると共に、積み上げが所定量以上になった場合、オーバーフローシュートに直接オーバーフローさせることが出来るので、不測のコインジャムが生じる頻度が小さくなる利点がある。
【００１１】
なお、本発明において「一の補給口」とは、補給口が複数ある場合、当該複数の補給口の一つに相対していることを意味する。
また、「コイン保留部のコインが所定量になった場合」とは、コインが大凡所定量になった場合を意味し、厳密性は問わない。
さらに、「下向きオーバーフローシュートをガイドレールに対し所定の角度で交差する」とは、平面視した場合に交差して見えることを意味し、現実には交差していない。
さらにまた、「補給口から落下したコインが下向き斜面に面接触」とは、実質的に面接触している状態を含んでいる。
例えば、ガイドレールが下向き斜面上に薄いプレートを配置して構成された場合、微視的に見ればコインは下向き斜面に傾斜し、下向き斜面と面接触しない。
この場合であっても、「コインが下向き斜面に面接触する」の範囲に含まれるものである。
【発明を実施するための最良の形態】
【００１２】
本発明は、コインを一の補給口からコイン保留部に供給して前記コイン保留部に山積みに保留し、かつ、前記コイン保留部の前記コインが所定量になった場合、コイン直径以上の幅を有する下向きオーバーフローシュートを介してオーバーフローさせるようにしたコイン保留装置において、前記補給口の下方にコイン直径よりも幅広の下向き斜面を配置し、前記下向き斜面に連続して前記下向き斜面を滑り落ちるコインの重心よりも前記オーバーフローシュートの下流側に前記下向き斜面の一部を延長するよう伸びる所定長のガイドレールを設け、前記ガイドレールは、コインの補給口から落下するコインに対し、コイン直径の約三分の一の位置に設定され、前記下向きオーバーフローシュートを前記ガイドレールに対し所定の角度で交差するよう前記ガイドレールの下方に配置し、前記ガイドレールの下端は前記オーバーフローシュートの上面に対しコイン直径の約三分の二の距離離れて配置され、前記補給口から落下したコインが前記下向き斜面に面接触した後、前記コインの重心よりも前記オーバーフローシュートに対し下流側下面が前記ガイドレールに案内されて前記保留部に達するようにし、前記保留部に堆積したコインは前記オーバーフローシュートに移動可能であるコイン保留装置のオーバーフローシュート装置である。
【実施例】
【００１３】
図１は、実施例のコイン保留装置のオーバーフローシュート装置の概略斜視図である。
図２は、実施例のコイン保留装置のオーバーフローシュート装置の平面図である。
図３は、図２におけるＡ―Ａ線断面図である。
図４は、図２におけるＢ―Ｂ線断面図である。
図５は、実施例のコイン保留部のコインが山積みで無い場合の作用説明図である。
図６は、実施例のコイン保留部のコインが山積みの場合の作用説明図である。
【００１４】
本実施例は、本発明をパチスロ機に内蔵するコイン払出装置であるコインホッパ100のコイン保留装置102のオーバーフローシュート装置104として採用した例である。
まず、装着対象のコインホッパ100を説明する。
【００１５】
コインホッパ100は、パチスロ機の筐体の投入口106に賭金として投入され、コインセレクタ108によって選別された真正コイン110をバラ積み状態で保留し、当該真正コイン110を投出口112から一つずつ払い出す機能を有する。
コインホッパ100は、少なくともフレーム114、ホッパベース116、コイン保留装置102としての保留ボウル118及び回転ディスク120を含んでいる。
【００１６】
まずフレーム114を説明する。
フレーム114はホッパベース116及び保留ボウル118を支持する機能を有し、板金製である。
フレーム114は、ベース122、及び、ベース122に支持された三角柱形のサポート体124を含んでいる。
パチスロ機の筐体に対しスライド可能なベース122上にサポート体124が固定されている。
サポート体124の中空部には、制御基板や回転ディスク120の駆動のための電気モータが配置され、頭部は斜めに形成されている。
【００１７】
次にホッパベース116を説明する。
ホッパベース116は、保留ボウル118及び回転ディスク120を所定の位置に保持する機能、及び、回転ディスク120によって移動されるコイン110を案内する機能を有する。
ホッパベース116は、矩形の板状を呈し、サポート体124の斜めの頭部に固定されている。
換言すれば、ホッパベース116は、所定の角度で傾斜している。
【００１８】
次に、保留ボウル118を説明する。
保留ボウル118は、コイン110をバラ済み状態に貯留する機能を有する。
保留ボウル118の下端部126は、同一径の円筒状であって、ホッパベース116に対し直交方向に延びている。
換言すれば、下端部126は斜め上方に向かって伸びており、その上端部129は四角形状に形成され、上端はコイン投入開口130になっている。
保留ボウル118の内部がコイン保留部128である。
保留ボウル118の四角形の上端部129と下端部126は傾斜壁132、134、136によって接続され、その上に乗ったコイン112は、重力によって自然滑落し、下方の回転ディスク120上に落下する。
保留ボウル118の四角形の上端部129の一部が矩形に突出され、コイン補給部140が設けられている。
コイン補給部140は、コインセレクタ108の真正コイン110の落下口である補給口141(図2に破線にて表示)の真下に位置している。
コイン補給部140は、傾斜壁134に向かって下向きに傾斜する下向き斜面142及びそれの三方を囲う第一壁144、第二壁146及び第三壁148により樋状に構成されている。
下向き斜面142は、コイン110が重力により自然滑落する傾斜を有し、コイン保留部128に連通している。
【００１９】
次に回転ディスク120を説明する。
回転ディスク120は、バラ積み状態に保留ボウル118のコイン保留部128に保留されるコイン112を一つずつ区分けし、投出口112から送り出す機能を有する。
回転ディスク120は、保留ボウル118の下端部126の円筒部内に配置されている。
回転ディスク120は、図示しない電気モータによって減速機を介して所定の速度で回転駆動される。
回転ディスク120は、円筒フランジ150を有する鍋形の板金製回転体152、周縁に凹部154を等間隔で形成したスプロケット形の攪拌体156を含んでいる。
回転体152の鍋底には等間隔に円形の通孔158が形成されている。
攪拌体156がその凹部154と通孔158が重なり合うよう回転体152の鍋底に固定されている。
回転体152の通孔158間のリブ160の下面には押動部(図示せず)が形成されている。
回転ディスク120が図2において時計方向に回転した場合、コイン保留部128内のコイン110は僅かに突出する攪拌体156によって攪拌されて姿勢を変え、通孔158に落下する。
落下したコイン110は下面がホッパベース116に面接触して支えられ、かつ、押動部によって周縁を押される。
これにより、コイン110は周縁を下端部126の内壁に案内されつつホッパベース116上を滑って回転ディスク120により連れ回りされる。
コイン110は、連れ回される途上において、規制体162により所定位置で回転ディスク120の周方向へ案内され、図示しない投出装置によって投出口112から投出される。
【００２０】
次に本発明に係るオーバーフローシュート装置160の実施例を説明する。
オーバーフローシュート装置160は、保留ボウル118内のコイン110の量が所定量以上になった場合、コイン110をコイン保留部128から保留ボウル118外へ溢れ出させる機能を有する。
オーバーフローシュート装置160は、少なくとも下向き斜面142、オーバーフローシュート162及びガイドレール164を含んでいる。
【００２１】
まず、オーバーフローシュート162を説明する。
オーバーフローシュート162は、コイン保留部128にコイン110が所定量以上積み上がり、当該山積み部からコイン110が重力により自然に滑落してその上に載った場合、重力により自然に滑り落ち、オーバーフロー口166を通ってオーバーフローさせる機能を有する。
本実施例において、オーバーフローシュート162は、所定の角度で下向きに傾斜する滑り台形であり、保留ボウル118のコイン補給部140側の側壁に固定されている。
図2に示すように平面視した場合、オーバーフローシュート162はガイドレール164と交差するように直線的に伸びている。
オーバーフローシュート162はコイン110の直径よりも僅かに広い幅を有し、その上端部168は下向き斜面142の下方に配置され、下端部170は側方の保留ボウル118の側壁に開口しているオーバーフロー口166に接続されている。
換言すれば、オーバーフローシュート162はコイン保留部128内に位置し、かつ、下向き斜面142の前方かつ下方において下向き斜面142の伸長方向とほぼ直角に交差する方向に下向きに伸びている。
オーバーフローシュート162は、上端部168から下端部170に向かって下向きの斜面であり、水平線に対し約30度傾斜している。
この下向き角度は、角度が小さい場合、コイン110の滑落速度が安定せずコインジャムを生じることがあり、一方、角度が大きい場合、コイン保留部128におけるコイン110が積み上がる位置が下方になるので、単位容積当たりの保留量が少なくなるため、約30度が好ましい。
オーバーフローシュート162は本実施例では平坦であるが、コイン110が滑り落ちる際の摩擦抵抗を低減するため、コイン110の滑落方向に伸びる突条を形成することができる。
【００２２】
なお、オーバーフロー口166の下方に金庫172を配置し、オーバーフローしたコイン110を保留することが好ましい。
また、オーバーフロー口166に連続してコイン保留部128に連通する補助オーバーフロー口174を設けることが好ましい。
補助オーバーフロー口174からもコイン保留部128に積み上がったコイン110をオーバーフローさせることにより、コイン110の積み上がり形状を成形し、ガイドレール164に案内されるコイン110が積み上がったコイン110に衝突してオーバーフローシュート162に確実に落下するためである。
【００２３】
次にガイドレール164を説明する。
ガイドレール164は、下向き斜面142に続いてコイン110のオーバーフローシュート162の下流側の端部下面を案内する機能を有する。
ガイドレール164は、本実施例では金属製の細長矩形の薄板であり、下向き斜面142の後述するオーバーフローシュート162の下流側に一端部を固定され、他端部は下向き斜面142からオーバーフローシュート162上方のコイン保留部128内に突出している。
下向き斜面142及びガイドレール164の傾斜角度は、オーバーフローシュート162同様、約30度が好ましい。
ガイドレール164は、コイン110の補給口141、本実施例ではコインセレクタ108の正貨口から落下するコイン110に対し、コイン110の直径のオーバーフローシュート162の下流側の約三分の一と重なるように配置することが好ましい。
換言すれば、ガイドレール164は下向き斜面142と同方向に下向きに伸び、図2に破線で示す下向き斜面142を滑り落ちるコイン110のオーバーフロー口166側の約三分の一がガイドレール164と接触しつつ滑り落ちるように配置されている。
ガイドレール164の先端180は、オーバーフローシュート162の上方であって、かつ、大凡コイン直径に相当する距離離れている。
コイン保留部128に山形に積み上がったコイン110が重力によって滑り落ち、先端180と積み上がったコイン110の間を通ってオーバーフローシュート162上に達することができるようにするためである。
【００２４】
ガイドレール164は、板に替えて棒にすることが出来る。
換言すれば、図2において、ガイドレール164のオーバーフローシュート162の上流側端縁182に相当する位置に棒体を配置することができる。
また、ガイドレール164は下向き斜面142と一体に成形することができる。
換言すれば、下向き斜面142のオーバーフローシュート162の下流側の一部をコイン保留部128内に所定量突出させる。
【００２５】
次に本実施例の作用を図5及び図6をも参照して説明する。
コインセレクタ108の正貨口である補給口141からほぼ垂直に落下したコイン110は、下向き斜面142の上部に衝突する。
このときコイン110は水平線に対しほぼ垂直であるため、図4に示すように下端が下向き斜面142と鈍角に衝突する。
これによりコイン110の下端は下向き斜面142の下流側へ指向する分力を受けるので同方向へ回動し、結果としてコイン110の下面が下向き斜面142に面接触する。
そして、コイン110は下向き斜面142及びガイドレール164の上部に面接触しつつ滑落する。
このとき、コイン110のオーバーフローシュート162に対する下流側の端部の約三分の一がガイドレール164上を滑り落ちる。
ガイドレール164は落下するコイン110に対しその一部がコイン110の直径の約三分の一と重なるように配置されているからである。
滑落するコイン110が下向き斜面142を外れた場合、コイン110はその約三分の一がガイドレール164に相対しているので、コイン110の重心はガイドレール164よりもオーバーフローシュート162の上流側に位置する。
このため、図5に示すように、コイン110には重力により旋回力が発生し、ガイドレール164のオーバーフローシュート162の上流側端縁182を支点に回動しつつ滑り落ちる。
このとき、ガイドレール164が下向きに傾斜し、コイン110は滑り落ちる慣性力を受けるため、コイン110の直径のオーバーフローシュート162の下流側の大凡三分の一に位置する下面がガイドレール164の上流側端縁182と接しつつ滑り落ちる。
【００２６】
図5(B)に示すように、コイン保留部128にコイン110が積み上がっていない場合、ガイドレール164に案内されつつ滑落するコイン110は、オーバーフローシュート162を越えてコイン保留部128に落下し、積み上がる。
【００２７】
図6(B)に示すようにコイン保留部128に所定量以上のコイン110が積み上がっている場合、換言すれば、コイン110が山形にオーバーフローシュート162の側方に積み上がり、その裾がオーバーフローシュート162に達している場合、コイン110はガイドレール164に案内されているとき、若しくは外れた直後に積み上がったコイン110に衝突し、ほぼ真下に落下する。
よってコイン110はオーバーフローシュート162に落下し、当該オーバーフローシュート162上を滑り落ちてオーバーフロー口166から金庫172に落下し、保留される。
【００２８】
コイン110が所定量積み上がった場合、重力によりコイン110は山形の表面を滑落してオーバーフローシュート162上に達し、当該オーバーフローシュート162上を滑り落ちてオーバーフロー口166から金庫172に落下し、保留される。
ガイドレール164の先端180とオーバーフローシュート162との間は、ほぼコイン直径に相当する距離離れているので、先端180と積み上がったコイン110との間には常に隙間が形成されている。
よって、前記のようにコイン110が積み上がった山形の表面を滑落するコイン110はこの隙間を通ってオーバーフローシュート162上に達することが出来る。
また、常に前記隙間が形成されるので、ガイドレール164が原因でコインジャムを生じることが無い。
【図面の簡単な説明】
【００２９】
【図１】図１は、実施例のコイン保留装置のオーバーフローシュート装置の概略斜視図である。
【図２】図２は、実施例のコイン保留装置のオーバーフローシュート装置の平面図である。
【図３】図３は、図２におけるＡ―Ａ線断面図である。
【図４】図４は、図２におけるＢ―Ｂ線断面図である。
【図５】図５は、実施例のコイン保留部のコインが山積みで無い場合の作用説明図である。
【図６】図６は、実施例のコイン保留部のコインが山積みの場合の作用説明図である。
【符号の説明】
【００３０】
110  コイン
128  コイン保留部
141  補給口
142  下向き斜面
162  オーバーフローシュート
164  ガイドレール
【図１】
2007272512.tif 000003
【図２】
2007272512.tif 000004
【図３】
2007272512.tif 000005
【図４】
2007272512.tif 000006
【図５】
2007272512.tif 000007
【図６】
2007272512.tif 000008